(57)【要約】【課題】ノーマルモードのインピーダンスを低くした積層型コモンモードチョークコイルを提供すること。【解決手段】第１内部導体３１は、第１上部導体３１ａ、第１下部導体３１ｂ及び内部導体立体交差部３３が連続するよう接続され、第２内部導体３２は、第２内部導体３２ａ及び第２下部導体３２ｂが連続するよう接続される。非磁性絶縁材料層２０は、第１上部導体３１ａを外側にかつ第２上部導体３２ａを内側に配置して短絡しないよう１ターン以上設けた第２非磁性絶縁材料２２と、第１下部導体３１ｂを内側にかつ第２下部導体３２ｂを外側に配置して互いに短絡しないよう１ターン以上設けた第３非磁性絶縁材料２３と、第１下部導体３１ｂが第２下部導体３２ｂを跨ぐように立体交差させる内部導体立体交差部３３を設けた第４非磁性絶縁材料Ｃとを上から順に積層される。【選択図】  図１
2004303775.tif 000002
【特許請求の範囲】
【請求項１】
複数の非磁性絶縁材料を積層し同方向の渦巻状とした第１及び第２の内部導体を形成する非磁性絶縁材料層と、該非磁性積層体層の上下両面に配置された磁性材料層とを具備してなる積層体に、前記第１及び第２の内部導体に接続された外部電極が設けられている積層型コモンモードチョークコイルであって、
前記第１内部導体は、第１上部導体、第１下部導体及び内部導体立体交差部が連続するよう接続され、
前記第２内部導体は、第２内部導体及び第２下部導体が連続するよう接続されると共に、
前記非磁性絶縁材料層が、前記第１上部導体を外側にかつ前記第２上部導体を内側に配置して互いに短絡しないようそれぞれを１ターン以上設けた非磁性絶縁材料Ａと、前記第１下部導体を内側にかつ前記第２下部導体を外側に配置して互いに短絡しないようそれぞれを１ターン以上設けた非磁性絶縁材料Ｂと、前記第１下部導体が前記第２下部導体を跨ぐように立体交差させる前記内部導体立体交差部を設けた非磁性絶縁材料Ｃと、を具備して上から順に積層されていることを特徴とする積層型コモンモードチョークコイル。
【請求項２】
前記内部導体立体交差部が、前記第１下部導体外側の引出電極部近傍に配設されていることを特徴とする請求項１記載の積層型コモンモードチョークコイル。
【請求項３】
複数の非磁性絶縁材料を積層し同方向の渦巻状とした第１及び第２の内部導体を形成する非磁性絶縁材料層と、該非磁性積層体層の上下両面に配置された磁性材料層とを具備してなる積層体に、前記第１及び第２の内部導体に接続された外部電極が設けられている積層型コモンモードチョークコイルの製造方法であって、
前記非磁性絶縁材料層は、第１上部導体を外側にかつ第２上部導体を内側に配置して互いに短絡しないようそれぞれ１ターン以上設けた非磁性絶縁材料Ａと、第１下部導体を内側にかつ第２下部導体を外側に配置して互いに短絡しないようそれぞれ１ターン以上設けた非磁性絶縁材料Ｂと、前記第１下部導体が前記第２下部導体を跨ぐように立体交差させる内部導体立体交差部を設けた非磁性絶縁材料Ｃとを積層し、
前記第１上部導体、前記第１下部導体及び前記内部導体立体交差部を接続してなる前記第１内部導体と、前記第２内部導体及び前記第２下部導体を接続してなる前記第２内部導体との有効長さを等しくすることを特徴とする積層型コモンモードチョークコイルの製造方法。
【発明の詳細な説明】
【０００１】
【発明の属する技術分野】
本発明は、電子機器に侵入するコモンモードノイズを除去する積層型コモンモードチョークコイル及びその製造方法に係り、特に、ノーマルモードにおけるインピーダンス値を低下させた積層型コモンモードチョークコイル及びその製造方法に関する。
【０００２】
【従来の技術】
従来より、パーソナルコンピュータやその周辺機器で採用されているＵＳＢ（Ｕｎｉｖｅｒｓａｌ  Ｓｅｒｉａｌ  Ｂｕｓ）、ＩＥＥＥ１３９４（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４）及びＬＤＶＳ（Ｌｏｗ  Ｖｏｌｔａｇｅ  Ｄｉｆｆｅｒｅｎｔｉａｌ  Ｓｉｇｎａｌｉｎｇ）といった高速の差動伝送方式のラインに流れるコモンモードノイズを除去するために、コモンモードチョークコイルが使用されている。
【０００３】
このコモンモードチョークコイルは、２つ以上のコイルを磁気的に組み合わせたコイルのことであり、電流の伝導方向におけるノーマルモードの成分には影響を与えないようにしてコモンモードの成分のみを除去するように構成したものである。すなわち、ノーマルモードのインピーダンスを最小限に抑えて、コモンモードのインピーダンスをできるだけ大きくすることが必要となる。
【０００４】
従来のコモンモードチョークコイルとしては、１ターン以上の渦巻状とした外側の第１内部導体及び内側の第２内部導体が互いに短絡しないよう同一磁性体シート内に設けられ、この磁性体シートを複数積層して第１内部導体及び第２内部導体をそれぞれ接続することにより、二つのコイルパターンを形成したものが知られている。なお、積層する磁性体シート間における第１内部導体及び第２内部導体の接続については、スルーホールを介して行われている。（たとえば、特許文献１参照）
【０００５】
【特許文献１】
特開２００２−２１７０３１号公報（第３頁−第７頁、図１及び図５）
【０００６】
【発明が解決しようとする課題】
ところで、上述した従来技術のコモンモードチョークコイルによれば、コイル１を形成する第１内部導体及びコイル２を形成する第２内部導体は、いずれも同一磁性体シート内に渦巻状に形成されているので、互いの磁束が影響を及ぼしあう内部導体、すなわち磁気結合に寄与する内部導体の長さ（線長）を長く設定することができる。このため、コモンモードのインピーダンス値が高くなるので、コモンモードにおけるノイズの除去性能を高くすることができる。
【０００７】
しかしながら、上述した従来技術の内部導体配置では、第１内部導体及び第２内部導体の長さを比較した場合、それぞれの長さが異なっている。このため、ノーマルモードに対して、コイル１及びコイル２は互いの磁束量を打ち消しあうことができないため、すなわち磁気結合ができないため、ノーマルモードのインピーダンス値が高くなるという問題が生じてくる。すなわち、ノーマルモードにおけるインピーダンスが高いと、信号波形なまりの原因となることがあり、高速信号波形に影響を及ぼすという不都合を生じる。
【０００８】
また、上述した特許文献１の他の実施形態には、第１内部導体及び第２内部導体を互いに短絡しないよう形成した磁性体シートの上下面に対し、第３内部導体が形成された磁性体シートを下面側に配設し、第４内部導体が形成された磁性体シートを上面側に配設して積層した構成が示されている。この場合、第１内部導体と第３内部導体との間、そして、第２内部導体と第４内部導体との間は、それぞれスルーホールを介して接続されて二つのコイルパターンを形成している。
【０００９】
このような構成とすれば、二つのコイルパターンにおける内部導体の長さを等しくして磁気結合させることができ、従って、ノーマルモードにおけるインピーダンス値を低下させることが可能になる。しかし、第３内部導体及び第４内部導体は上下に離間して配置されているので、互いに影響しあって磁束を打ち消しあうことはなく、磁気結合に寄与する内部導体の長さが短くなってコモンモードのインピーダンス値を低下させるという問題が生じてくる。
本発明は、上記の事情に鑑みてなされたもので、ノーマルモード及びコモンモードのいずれにおいてもインピーダンスを最適化（ノーマルモードで低く、コモンモードで高い）し、ノイズ除去特性を向上させることができる積層型コモンモードチョークコイル及びその製造方法の提供を目的としている。
【００１０】
【課題を解決するための手段】
本発明は、上記課題を解決するため、以下の手段を採用した。
請求項１に記載の積層型コモンモードチョークコイルは、複数の非磁性絶縁材料を積層し同方向の渦巻状とした第１及び第２の内部導体を形成する非磁性絶縁材料層と、該非磁性積層体層の上下両面に配置された磁性材料層とを具備してなる積層体に、前記第１及び第２の内部導体に接続された外部電極が設けられている積層型コモンモードチョークコイルであって、
前記第１内部導体は、第１上部導体、第１下部導体及び内部導体立体交差部が連続するよう接続され、
前記第２内部導体は、第２内部導体及び第２下部導体が連続するよう接続されると共に、
前記非磁性絶縁材料層が、前記第１上部導体を外側にかつ前記第２上部導体を内側に配置して互いに短絡しないようそれぞれを１ターン以上設けた非磁性絶縁材料Ａと、前記第１下部導体を内側にかつ前記第２下部導体を外側に配置して互いに短絡しないようそれぞれを１ターン以上設けた非磁性絶縁材料Ｂと、前記第１下部導体が前記第２下部導体を跨ぐように立体交差させる前記内部導体立体交差部を設けた非磁性絶縁材料Ｃと、を具備して上から順に積層されていることを特徴とするものである。
【００１１】
このような請求項１記載の積層型コモンモードチョークコイルによれば、第１下部導体が第２下部導体を跨ぐようにして立体交差させる内部導体立体交差部を備えているので、非磁性絶縁材料Ａ及び非磁性絶縁材料Ｂの渦巻きは内側及び外側の配置が入れ替わる。このため、非磁性絶縁材料Ａで長い外側の内部導体は、非磁性絶縁材料Ｂで短い内側となるため、第１内部導体と第２内部導体との長さを等しくして磁気結合させ、コモンモードのインピーダンス値を高くするよう磁気結合の長さを十分に確保し、かつ、ノーマルモードにおけるインピーダンス値を小さくすることができる。
【００１２】
この場合、前記内部導体立体交差部が、前記第１下部導体外側の引出電極部近傍に配設されていることが好ましく、これにより、磁気結合に寄与する内部導体の長さを限られたスペース内で効率よく確保することができるので、コモンモードのインピーダンス値をより高くすることができる。
【００１３】
請求項３記載の積層型コモンモードチョークコイルの製造方法は、複数の非磁性絶縁材料を積層し同方向の渦巻状とした第１及び第２の内部導体を形成する非磁性絶縁材料層と、該非磁性積層体層の上下両面に配置された磁性材料層とを具備してなる積層体に、前記第１及び第２の内部導体に接続された外部電極が設けられている積層型コモンモードチョークコイルの製造方法であって、
前記非磁性絶縁材料層は、第１上部導体を外側にかつ第２上部導体を内側に配置して互いに短絡しないようそれぞれ１ターン以上設けた非磁性絶縁材料Ａと、第１下部導体を内側にかつ第２下部導体を外側に配置して互いに短絡しないようそれぞれ１ターン以上設けた非磁性絶縁材料Ｂと、前記第１下部導体が前記第２下部導体を跨ぐように立体交差させる内部導体立体交差部を設けた非磁性絶縁材料Ｃとを積層し、
前記第１上部導体、前記第１下部導体及び前記内部導体立体交差部を接続してなる前記第１内部導体と、前記第２内部導体及び前記第２下部導体を接続してなる前記第２内部導体との有効長さを等しくすることを特徴とするものである。
【００１４】
このような積層型コモンモードチョークコイルの製造方法によれば、非磁性絶縁材料層は、第１上部導体を外側にかつ第２上部導体を内側に配置して互いに短絡しないようそれぞれ１ターン以上設けた非磁性絶縁材料Ａと、第１下部導体を内側にかつ第２下部導体を外側に配置して互いに短絡しないようそれぞれ１ターン以上設けた非磁性絶縁材料Ｂと、第１下部導体が第２下部導体を跨ぐように立体交差させる内部導体立体交差部を設けた非磁性絶縁材料Ｃとを積層し、第１上部導体、第１下部導体及び内部導体立体交差部を接続してなる第１内部導体と、第２内部導体及び第２下部導体を接続してなる第２導体との有効長さを等しくするので、ノーマルモードのインピーダンスが小さい積層型コモンモードチョークコイルを容易に製造することができる。
【００１５】
【発明の実施の形態】
以下、本発明によるコモンモードチョークコイル及びその製造方法の一実施形態を図面に基づいて説明する。なお、図１は本発明におけるコモンモードチョークコイルの分解斜視図、図２は図１の完成状態を示すコモンモードチョークコイルの外観斜視図、図３は本発明によるコモンモードチョークコイルの磁気結合の様子を示す分解斜視図である。
【００１６】
図１及び図２において、図中の符号１０はコモンモードチョークコイルを示している。このコモンモードチョークコイル１０は、シート状とした複数枚の非磁性絶縁材料及び磁性材料を積層して一体化した構成とされる。また、略直方体形状の積層体としたコモンモードチョークコイル１０の対向する２側面には、後述する２組の内部導体と引出電極を介して接続されている４つの外部電極１１，１２，１３，１４が分配して設けられている。
図１に示す構成例では、積層体としたコモンモードチョークコイル１０の上下両端面側に、それぞれが１または複数層よりなる磁性材料層１５，１６を配置してある。そして、これら上下の磁性材料層１５，１６の間には、少なくとも３層の複数層よりなる非磁性絶縁材料層２０を配置してある。
【００１７】
磁性材料層１５，１６は、それぞれが磁性材料１５ａ，１５ｂ，１５ｃ及び磁性材料１６ａ，１６ｂ，１６ｃを３層に積層した構成とされる。ここで、磁性材料層１５，１６としては高透過率のものが好ましく、使用可能なシート状の磁性材料には、たとえばＮｉ−Ｚｎフェライト、Ｎｉ−Ｚｎ−Ｃｕフェライト等がある。
なお、磁性材料層１５，１６については、上述した３層に限定されることはなく、磁性材料の種類や厚みに応じて適宜変更することができる。
【００１８】
非磁性絶縁材料層２０は、上面側から第１非磁性絶縁材料２１、第２非磁性絶縁材料（非磁性絶縁材料Ａ）２２、第３非磁性絶縁材料（非磁性絶縁材料Ｂ）２３及び第４非磁性絶縁材料（非磁性絶縁材料Ｃ）２４の順に、シート状の非磁性絶縁材料を４層に積層した構成とされる。ここで、非磁性絶縁材料層２０として使用可能なシート状の非磁性絶縁材料には、たとえばアルミナ、シリカなどのセラミックス材料やポリイミド樹脂などの樹脂材料等がある。
なお、第１非磁性絶縁材料２１については、諸条件に応じてなくしたり、あるいは２層以上としてもよい。
【００１９】
さて、上述した４層の非磁性絶縁材料のうち、中間部の第２非磁性絶縁材料２２及び第３非磁性絶縁材料２３には、それぞれの上面に渦巻状（スパイラル状）とした第１上部導体３１ａ，第２上部導体３２ａ及び第１下部導体３１ｂ，第２下部導体３２ｂが設けられている。なお、これらの各導体３１ａ，３１ｂ，３２ａ，３２ｂは、たとえば銀などの導電体を印刷やメッキなど周知の手法により形成したものである。
【００２０】
このうち、第１上部導体３１ａ及び第２上部導体３２ａは、第２非磁性絶縁材料２２の上面に形成され、それぞれが１ターン以上の渦巻状となっている。そして、第１上部導体３１ａの内側には第２上部導体３２ａが略平行に配置され、互いに短絡しないように設けられている。すなわち、第１上部導体３１ａと第２上部導体３２ａとを１つの組とした場合、この１組が渦巻状になっており、その渦巻方向は、上面視において第１上部導体３１ａ及び第２上部導体３２ａ共に同じ方向となっている。
【００２１】
第１上部導体３１ａの一方の端部、すなわち渦巻きの外側となる端部には、外部電極１１に接続される引出電極部３４が形成され、第１上部導体３１ａの他方の端部、すなわち渦巻きの内側となる端部は、スルーホール２２ａを介して、後述する第３非磁性絶縁材料２３側に形成されている第１下部導体３１ｂと接続されている。
また、第２上部導体３２ａの一方の端部、すなわち渦巻きの外側となる端部には外部電極１３に接続される引出電極３６が形成され、第２下部導体３２ａの他方の端部、すなわち渦巻きの内側となる端部は、スルーホール２２ｂを介して、後述する第３非磁性絶縁材料２３側に形成されている第２下部導体３２ｂと接続されている。
【００２２】
そして、他の第１下部導体３１ｂ及び第２下部導体３２ｂは、第３非磁性絶縁材料２３の上面に形成され、それぞれが１ターン以上の渦巻状となっている。この場合は、上述した第２非磁性絶縁材料２２の上部導体配置とは逆に、第２下部導体３２ｂの内側に第１下部導体３１ｂが略平行に配置され、互いに短絡しないように設けられている。すなわち、第１下部導体３１ｂと第２下部導体３２ｂとを１つの組とした場合、この１組が渦巻状になっており、その渦巻方向は、上面視において第１下部導体３１ｂ及び第２下部導体３２ｂ共に同じ方向となっており、しかも、上述した上部導体３１ａ及び第２上部導体３２ａとも同方向となっている。
【００２３】
第１下部導体３１ｂの一方の端部、すなわち渦巻きの外側となる端部には、外部電極１２に接続される引出電極３５が形成され、第１下部導体３１ｂの他方の端部、すなわち渦巻きの内側となる端部は、スルーホール２２ａを介して上述した第２非磁性絶縁材料２２に形成されている第１上部導体３１ａと接続されている。
また、第２下部導体３２ｂの一方の端部、すなわち渦巻きの外側となる端部には外部電極１４に接続される引出電極３７が形成され、第２下部導体３２ｂの他方の端部、すなわち渦巻きの内側となる端部は、スルーホール２２ｂを介して上述した第２非磁性絶縁材料２２側に形成されている第２上部導体３２ａと接続されている。
【００２４】
ここで、渦巻状の内部導体配置について、第２非磁性絶縁材料２２と第３非磁性絶縁材料２３とにおいて、渦巻きの内側及び外側を逆にして第１上部／下部導体（以下、「第１内部導体３１」と呼ぶ）及び第２上部／下部導体（以下、「第２内部導体３２」と呼ぶ）を設けるための構成について説明する。
すなわち、第２非磁性絶縁材料２２側で外側に配置されている第１上部導体３１ａとスルーホール２２ａを介して接続されている第１下部導体３１ｂを、第２非磁性絶縁材料２２側で内側に配置されている第２上部導体３２ａとスルーホール２２ｂを介して接続されている第２下部導体３２ｂの内側に配置するための構成として、第４非磁性絶縁材料２４に内部導体立体交差部３３を設けてある。
【００２５】
この内部導体立体交差部３３は、引出電極３５に近い渦巻きの外側に配置されており、第２下部導体３２ｂを跨ぐようにして第３非磁性絶縁材料２３に設けた一対のスルーホール２３ａ，２３ｂを介して、第１下部導体３１ｂと接続されている。このため、第３非磁性絶縁材料２３に設けられている第１下部導体３１ｂは、第２下部導体３２ｂの両側に配設されたスルーホール２３ａ，２３ｂから第４非磁性絶縁材料２４の内部導体立体交差部３３と接続され、第２下部導体３２ｂと立体交差して跨ぐことにより、渦巻状の導体配置は両導体を短絡させることなく外側から内側へと変化している。
【００２６】
この結果、第１上部導体３１ａ及び内部導体立体交差部３３を含めた第１下部導体３１ｂが通電可能に連続して第１のコイルを形成する第１内部導体３１となり、また、第２上部導体３２ａ及び第２下部導体３２ｂが通電可能に連続して第２のコイルを形成する第２内部導体３２となる。
【００２７】
ここで、第１内部導体３１の導体経路を詳細に説明すると、外部電極１１から第２非磁性絶縁材料２２の引出電極３４及び第１上部導体３１ａを経由してスルーホール２２ａの点Ａに至り、ここでスルーホール２２ａを介して第３非磁性絶縁材料２３の点Ｃ（第１下部導体３１ｂの内側端部）と電気的に接続される。そして、点Ｃから第１下部導体３１ｂを経由して引出電極３５の近傍に設けたスルーホール２３ａの点Ｅに至り、この点Ｅから第４非磁性絶縁材料２４に形成された内部導体立体交差部３３の一端（点Ｆ）と電気的に接続される。この後、内部導体立体交差部３３を経由して他端（点Ｇ）に至り、ここからスルーホール２３ｂを介して第３非磁性絶縁材料２３の点Ｈと電気的に接続され、さらに、この点Ｈから引出電極３５を経て外部電極１２に接続される。
【００２８】
また、第２内部導体３２の導体経路を詳細に説明すると、外部電極１３から第２非磁性絶縁材料２２の引出電極３６及び第２上部導体３２ａを経由してスルーホール２２ｂの点Ｂに至り、ここでスルーホール２２ｂを介して第３非磁性絶縁材料２３の点Ｄ（第２下部導体３２ｂの内側端部）と電気的に接続される。この後、点Ｄから第２下部導体３２ｂを経由して引出電極３７に至り、この引出電極３７を経て外部電極１４に接続される。
【００２９】
このような構成の第１内部導体３１及び第２内部導体３２は、上述した第１内部導体３１における一方の引出電極３４から他方の引出電極３５までの渦巻き長さと、第２内部導体３２における一方の引出電極３６から他方の引出電極３７までの渦巻き長さとが等しくなるように配置する。
この時、内部導体立体交差部３３の長さ（ＦＧ）が最短となるように、第２下部導体３２ｂと直交するように配置することが好ましい。
【００３０】
以上のように構成された本発明のコモンモードチョークコイル１０について、以下にその製造方法を説明する。
最初に、所定の形状（たとえば矩形状）としたシート状の第１非磁性絶縁材料２１、第２非磁性絶縁材料２２、第３非磁性絶縁材料２３及び第４非磁性絶縁材料２４を作製する。
次に、中間位置となる第２非磁性絶縁材料２２及び第３非磁性絶縁材料２３の所定位置に、レーザ、パンチングなど周知の手法で穴あけ加工を施し、スルーホール２２ａ，２２ｂ，２３ａ，２３ｂを設ける。
【００３１】
次に、第２非磁性絶縁材料２２及び第３非磁性絶縁材料２３の上面に、それぞれ１ターン以上の第１上部導体３１ａ，第２上部導体３２ａ及び第１下部導体３２ａ，第２下部導体３２ｂを、印刷やメッキなど周知の手法を用いて互いに短絡しないように形成する。また、第４非磁性絶縁材料２４の上面所定位置には、直線の内部導体立体交差部３３を印刷やメッキなど周知の手法により形成する。
【００３２】
この時、第１上部導体３１ａの一端には引出電極３４が、第２上部導体３２ａの一端には引出電極３６が、第１上部導体３１ｂの一端には引出電極３５が、そして第２下部電極３２ｂの一端には引出電極３７がそれぞれ一体に連続して形成されている。また、スルーホール２２ａ，２２ｂ，２３ａ，２３ｂには、スルーホールを設けた非磁性絶縁材料に形成される導体と一体的に連続するよう銀などの導電材料が充填される。なお、スルーホールを介して接続される非磁性絶縁材料側の導体とは、導体端部の点Ｃ，Ｄ，Ｆ，Ｇに図示しない凸状の電極部を設けるなどしてスルーホールの導電体に接触させ、電気的に接続されるようになっている。
【００３３】
次に、第１非磁性絶縁材料２１、第２非磁性絶縁体材料２２、第３非磁性絶縁材料２３及び第４非磁性絶縁材料２４を積層し、非磁性絶縁材料層２０を形成する。これにより、第１上部導体３１ａ、第１下部導体３１ｂ及び内部導体立体交差部３３がスルーホール２２ａ，２３ａ，２３ｂを介して電気的に接続され、また、第２上部導体３１ａ及び第２下部導体３２ｂがスルーホール２２ｂを介して電気的に接続される。
なお、磁性材料層１５，１６は、非磁性材料層２０を挟み込むようにして上下に積層されることにより、積層体が完成する。
【００３４】
また、上述したコモンモードチョークコイル１０は、各非磁性絶縁材料に対し所定のピッチで複数組の内部導体を形成して積層してもよく、この場合、ダイシングなどで切断することにより、上述した積層体を同時に多数製造することができる。
最後に、積層体の対向する両側面に露出した引出電極３４，３５，３６，３７と接続させて、銀などの導電体からなる外部電極１１，１２，１３，１４をそれぞれ形成し、上述した構成のコモンモードチョークコイルを製造する。このような製造方法により、第１内部導体３１及び第２内部導体３２の長さを等しくした構成のコモンモードチョークコイル１０を容易に製造することができる。
なお、外部電極１１，１２，１３，１４は、必要に応じて銀などの導電体の上面にメッキ処理を施してもよい。
【００３５】
このように構成されたコモンモードチョークコイル１０は、バイファイラ巻きとして第１内部導体３１及び第２内部導体３２の長さを十分に確保し、しかも、両内部導体３１，３２の長さを等しくしてあるので、コモンモードのインピーダンス値を高くし、かつ、ノーマルモードのインピーダンス値を低く抑えることができる。
【００３６】
図３は、上述したコモンモードチョークコイル１０において、ノーマルモード時における磁気結合の様子を示す図である。
この場合、第１内部導体３１及び第２内部導体３２の長さを等しく設定してあるので、第１上部導体３１ａと第２上部導体３２ａとが影響し合って矢印Ｚ１，Ｚ２のように磁気結合し、同時に、第１下部導体３１ｂと第２下部導体３２ｂとが影響し合って矢印Ｚ３，Ｚ４のように磁気結合する。この結果、矢印Ｚ５，Ｚ６で示すように、コモンモードチョークコイル１０全体に大きな磁気結合が生じることとなり、二つの磁束が打ち消し合うためノーマルモードのインピーダンス値を低減することができる。すなわち、内部導体の長さを十分に確保することでコモンモードにおけるインピーダンス値を高くしてノイズ除去性能が向上し、かつ、ノーマルモードにおけるインピーダンス値を低減して電流が流れやすい、すなわち高速信号波形に影響を及ぼすことのない積層型のコモンモードチョークコイル１０となる。
【００３７】
また、上述したコモンモードチョークコイル１０は、たとえば図４に示すように、上述した構成のものを複数組並べて、アレイ化することも可能である。
なお、本発明の構成は上述した実施形態に限定されるものではなく、本発明の要旨を逸脱しない範囲内において適宜変更することができる。
【００３８】
【発明の効果】
本発明の積層型コモンモードチョークコイルは、第１下部導体が第２下部導体を跨ぐようにして立体交差させる内部導体立体交差部を備えているので、非磁性絶縁材料Ａ及び非磁性絶縁材料Ｂの渦巻きの配置は、内側と外側とを入れ替えることができ、第１内部導体と第２内部導体との長さを等しくして磁気結合させることが可能になる。このため、コモンモードのインピーダンス値を高く設定することでコモンモードノイズを効果的に除去し、しかも、ノーマルモードにおける信号波形なまりの原因を取り除くためにインピーダンス値を小さくし、高速信号波形に影響を与えることなくコモンモードノイズのみを効果的に除去することができるようになるので、優れたノイズ除去特性を備えた積層型コモンモードチョークコイルを得ることができる。
この場合、内部導体立体交差部を第１下部導体外側の引出電極部近傍に配設することにより、磁気結合に寄与する内部導体の長さを非磁性絶縁材料の限られたスペース内で効率よく確保することができるので、小型でコモンモードのインピーダンス値の高い製品を得ることができる。
【００３９】
また、本発明による積層型コモンモードチョークコイルの製造方法によれば、非磁性絶縁材料層は、第１下部導体が第２下部導体を跨ぐように立体交差させる内部導体立体交差部を設けた非磁性絶縁材料Ｃを積層し、第１上部導体、第１下部導体及び内部導体立体交差部を接続してなる第１内部導体と、第２内部導体及び第２下部導体を接続してなる第２導体との有効長さを等しくするので、ノーマルモードのインピーダンスが小さい積層型コモンモードチョークコイルの製造を容易にし、安価で信頼性の高い製品を提供することができる。
【図面の簡単な説明】
【図１】本発明に係る積層型コモンモードチョークコイルの一実施形態を示す分解斜視図である。
【図２】図１の完成状態を示す斜視図である。
【図３】図１の積層型コモンモードチョークコイルにおける磁気結合の様子を示す図である。
【図４】本発明の変形例としてアレイ化した積層型コモンモードチョークコイルを示す分解斜視図である。
【符号の説明】
１０    コモンモードチョークコイル
１１、１２，１３，１４    外部電極
１５，１６    磁性材料層
１５ａ，１５ｂ，１５ｃ，１６ａ，１６ｂ，１６ｃ    磁性材料
２０    非磁性絶縁材料層
２１    第１非磁性絶縁材料
２２    第２非磁性絶縁材料（非磁性絶縁材料Ａ）
２２ａ，２２ｂ，２３ａ，２３ｂ    スルーホール
２３    第３非磁性絶縁材料（非磁性絶縁材料Ｂ）
２４    第４非磁性絶縁材料（非磁性絶縁材料Ｃ）
３１    第１内部導体
３１ａ    第１上部導体
３１ｂ    第１下部導体
３２    第２内部導体
３２ａ    第２上部導体
３２ｂ    第２下部導体
３３    内部導体立体交差部
３４，３５，３６，３７    引出電極
【図１】
2004303775.tif 000003
【図２】
2004303775.tif 000004
【図３】
2004303775.tif 000005
【図４】
2004303775.tif 000006